(57)【要約】【課題】洗剤の使用に際して、この洗剤をできるだけきめを細かくすることができ、しかも多くの泡立てを簡単に行うことができ、この泡立てた泡を十分に扱きとることができる泡立て具を提供する。【解決手段】可撓性と柔軟性を有し、常態時は、外方へ広がる網状体の基材１ａにより泡立て本体１を形成して、この泡立て本体１の一端部１ｂおよび他端部１ｃに第一および第二係止体２，３を設け、泡立て本体において第一係止体と第二係止体との間に該泡立て本体の外周部における長さ方向を移動自在に取り付けた泡絞り体４を設ける。【選択図】    図１
0003102323.tif 000002
【実用新案登録請求の範囲】
【請求項１】
可撓性と柔軟性を有し、常態時は、外方へ広がる網状体の基材により形成した泡立て本体と、この泡立て本体の一端部および他端部に設けた第一および第二係止体と、前記泡立て本体において前記第一係止体と前記第二係止体との間に設けて該泡立て本体の外周部における長さ方向を移動自在に取り付けた泡絞り体とを備えさせたことを特徴とする泡立て具。
【請求項２】
可撓性と柔軟性を有し、常態時は、外方へ広がる網状体の基材により形成した泡立て本体と、この泡立て本体の一端部および他端部に設けた第一および第二係止体と、前記泡立て本体において前記第一係止体と前記第二係止体との間に設けて該泡立て本体の外周部における長さ方向を移動自在に取り付けた泡絞り体とを備えさせ、
前記泡絞り体は、前記泡立て本体の外周部の移動に際して、この可撓性と柔軟性を有する泡立て本体が変形し得る堅さに取り付けられ、
前記泡立て本体の長さ方向の両端部は、前記第一係止体と前記第二係止体とにより、常態時、外方へ広がった形態より絞ったことを特徴とする泡立て具。
【請求項３】
可撓性と柔軟性を有し、常態時は、外方へ広がる網状体の基材により形成した泡立て本体と、この泡立て本体の一端部および他端部に設けた第一および第二係止体と、前記泡立て本体において前記第一係止体と前記第二係止体との間に設けて該泡立て本体の外周部における長さ方向を移動自在に取り付けた泡絞り体とを備えさせ、
前記泡絞り体は、前記泡立て本体の外周部の移動に際して、この可撓性と柔軟性を有する泡立て本体が変形し得る堅さに取り付けられていて、
前記第一係止体および前記第二係止体は、前記泡絞り体の移動に際して、該泡絞り体が前記泡立て本体より抜け出さない外形を有することを特徴とする泡立て具。
【請求項４】
泡立て本体は、筒状に形成した網状体の基材を、その外周部から折り曲がるように複数重にして、該基材における両端部を一つに束ね、該束ね部に第一係止体を形成させてなり、
前記束ね部を内方へ折り返して前記泡立て本体内へ埋没させたことを特徴とする請求項１，２または３記載の泡立て具。
【請求項５】
泡立て本体における基材の長さ方向に対して、多数のヒダを形成させたことを特徴とする請求項１，２または３記載の泡立て具。
【考案の詳細な説明】
【技術分野】
【０００１】
本考案は、洗剤などの使用に際して、この洗剤をできるだけきめが細かくできて、しかも多くの泡立てを簡単に行うことができる泡立て具に関する。
【背景技術】
【０００２】
従来、液体洗剤や固形洗剤などの洗顔料を使用してメーク落としや洗顔をするときに、洗剤をきめ細かく、気泡を多く含んだ状態に泡立てることができる洗顔用泡立て具が知られている（例えば、特許文献１参照。）。
【０００３】
【特許文献１】特開２００１−１６９９６０号公報
【考案の開示】
【考案が解決しようとする課題】
【０００４】
本体へ付着させた洗剤によって泡立てたものを顔などへ塗るときには、この本体から搾り取るものであるが、このものは、該本体の一端部を片手で保持し、他の片手で前記本体の外周をしっかりと握って、他端部へ向かって移動しながらギューと扱かなければならなかった。
【０００５】
そのため、濡れた手や洗剤が付いた手などでのこの作業は、本体の一端部を保持した手がすべって、該本体自体をしっかりと固定させておくことができにくく、十分に前記泡立てた洗剤を本体から扱き取ることができないものであった。
【０００６】
また、本体の外周部は、単に平滑状となっているため、該本体の外周へこすりつけた洗剤が十分に泡立ちにくいものであった。
【０００７】
本考案は、前記した問題点を解決するためになされたもので、可撓性と柔軟性を有し、常態時は、外方へ広がる網状体の基材により泡立て本体を形成して、この泡立て本体の一端部および他端部に第一および第二係止体を設け、泡立て本体において第一係止体と第二係止体との間に該泡立て本体の外周部における長さ方向を移動自在に取り付けた泡絞り体を設けることにより、洗剤の使用に際して、この洗剤をできるだけきめが細かくできて、しかも多くの泡立てを簡単に行うことができ、この泡立てた泡を十分に扱きとることができる泡立て具を提供することを目的としている。
【課題を解決するための手段】
【０００８】
前記した目的を達成するための本考案の手段は、
可撓性と柔軟性を有し、常態時は、外方へ広がる網状体の基材により形成した泡立て本体と、この泡立て本体の一端部および他端部に設けた第一および第二係止体と、前記泡立て本体において前記第一係止体と前記第二係止体との間に設けて該泡立て本体の外周部における長さ方向を移動自在に取り付けた泡絞り体とを備えさせた泡立て具の構成にある。
【０００９】
可撓性と柔軟性を有し、常態時は、外方へ広がる網状体の基材により形成した泡立て本体と、この泡立て本体の一端部および他端部に設けた第一および第二係止体と、前記泡立て本体において前記第一係止体と前記第二係止体との間に設けて該泡立て本体の外周部における長さ方向を移動自在に取り付けた泡絞り体とを備えさせ、
前記泡絞り体は、前記泡立て本体の外周部の移動に際して、この可撓性と柔軟性を有する泡立て本体が変形し得る堅さに取り付けられ、
前記泡立て本体の長さ方向の両端部は、前記第一係止体と前記第二係止体とにより、常態時、外方へ広がった形態より絞った泡立て具の構成にある。
【００１０】
可撓性と柔軟性を有し、常態時は、外方へ広がる網状体の基材により形成した泡立て本体と、この泡立て本体の一端部および他端部に設けた第一および第二係止体と、前記泡立て本体において前記第一係止体と前記第二係止体との間に設けて該泡立て本体の外周部における長さ方向を移動自在に取り付けた泡絞り体とを備えさせ、
前記泡絞り体は、前記泡立て本体の外周部の移動に際して、この可撓性と柔軟性を有する泡立て本体が変形し得る堅さに取り付けられていて、
前記第一係止体および前記第二係止体は、前記泡絞り体の移動に際して、該泡絞り体が前記泡立て本体より抜け出さない外形を有する泡立て具の構成にある。
【００１１】
泡立て本体は、筒状に形成した網状体の基材を、その外周部から折り曲がるように複数重にして、該基材における両端部を一つに束ね、該束ね部に第一係止体を形成させてなり、
前記束ね部を内方へ折り返して前記泡立て本体内へ埋没させる。
【００１２】
泡立て本体における基材の長さ方向に対して、多数のヒダを形成させる。
【考案の効果】
【００１３】
本考案は、洗剤の使用に際して、この洗剤をできるだけきめが細かく、しかも多く泡立てが簡単に行うことができ、この泡立てた泡を十分にかつ無駄なく扱きとることができる。
泡立て本体が棒状に形成されているため、洗面所などの収納時に邪魔にならない。
【考案を実施するための最良の形態】
【００１４】
次に、本考案に関する泡立て具の一実施例を図面に基づいて説明する。
図１および図５においてＡは、洗剤を使用してメーク落としや洗顔をする際に、該洗剤をきめの細かい気泡を多く含んだ状態に泡立てることができる泡立て具であって、泡立て本体１と、第一係止体２と、第二係止体３と、泡絞り体４とにより基本的に構成される。
【００１５】
前記した泡立て本体１は、可撓性と柔軟性を有し、常態時（何も外部からの力を加えない、普通の状態時）はその弾性により、外方へ広がる性状をもった網状体（細かいメッシュ）の基材１ａにより棒状に形成してある。したがって、この基材１ａは、通気性はもちろんのこと通水性にも優れていて、しかも、柔らかいので、肌触りも良好である。
この網状体の基材１ａは、ポリエチレン等の合成樹脂素材により網状に成形したり、ポリエチレン等の合成樹脂製繊維や他の繊維などにより網状に形成してある。
【００１６】
また、この泡立て本体１は、図２（ａ）に示すように、網状体の基材１ａをその軸方向が長くなるような筒状に形成したり、図２（ｂ）に示すように、網状体の基材１ａをその長辺側と平行するように二つ折りにして形成させたり、図２（ｃ）に示すように、網状体の基材１ａにおいて、その長辺側の両辺を該長辺側と平行するように内側へそれぞれ折れ返したりすることで、後記する泡立て本体１の成形にあって、基材１ａの長さ方向に対して、多数のヒダ１０を形成させることができる。
しかし、前記成形形態に限定されるものではなく、図３に示すように、所定の長方形状に形成したものをそのまま用いて、泡立て本体１を成形してもよいもので、この場合、その長さ方向に対して所定にねじったり巻いたり、あるいは丸めたりすると、一層ヒダ１０ができやすい。
いずれの場合にも、基材１ａは単層または複数層（二枚重ね等）からなる。
【００１７】
前記した第一係止体２は、泡立て本体１の長さ方向における一端部に形成してあって、後記する泡絞り体４の泡立て本体１外周からの抜け止めを行うものである。
この形成にあっては、例えば、図４に示すように、泡立て本体１の成形にあって、該基材１ａの長さ方向の外周部から該長さ方向へ折り曲がるように二つ折りにして、図５に示すように、該折り曲げた基材１ａにおける両端部１ｂ，１ｃを揃えて（必ずしも揃える必要はない。）一つに束ね、この束ね部ｄを、図１において破線で示すように、内方へ折り返して（ひっくり返して）、泡立て本体１内へこの束ね部ｄを埋没させることで、該束ね部ｄに第一係止体２が形成されるものである。
【００１８】
また、泡立て本体１を形成するすなわちこの第一係止体２を形成するにあたって、泡立て本体１は、その基材１ａを、図４に示すように、二つ折りにする以外にも、図６（ａ）に示すように、三重としたり、図６（ｂ）に示すように、四重にしたり、等の任意の折り返し量（数）が選定し得るもの、この泡立て本体１外周部から折り曲がるように複数重に設けることで、洗剤の泡立ちは一層良好となる。
【００１９】
この束ね部ｄにあっては、基材１ａの両端部１ｂ，１ｃを一つに束ねることができる手段であれば任意のものが用いられるもので、例えば、慣用の結束用の細幅ベルト体１ｅが使用にあって便利である。
なお、この束ね部ｄの束ね作業において、該両端部１ｂ，１ｃと共に、環状に形成した下げ紐５を一緒に結束することで、図１に示すように、この下げ紐５を外部に突出させることができる。
【００２０】
前記した第二係止体３は、泡立て本体１の長さ方向における他端部に設けてあって、後記する泡絞り体４の泡立て本体１外周からの抜け止めを行うものである。
該第二係止体３は、任意のものが利用できるものであるが、図１等に示すように、合成樹脂製等のリングが簡便に用いることができる。
この第二係止体３の形成にあっては、泡立て本体１の成形時に、あらかじめ、基材１ａの長さ方向において該基材１ａの外周へ、図４において仮想線で示すように、その通孔３ａを通しておくものである。
【００２１】
なお、泡立て本体１の長さ方向の両端部は、第一係止体２と第二係止体３とにより、常態時（何も外部からの力を加えない、普通の状態時）、外方へ広がった形態より絞った形態を有している。
これにより、泡立て本体１の外周部には、より多くのヒダ１０が形成される。
【００２２】
前記した泡絞り体４は、泡立て本体１において第一係止体２と第二係止体３との間に設けて、該泡立て本体１の外周部における長さ方向を任意に移動自在に取り付けてある。
この泡絞り体４は、泡立て本体１に付着した洗剤における泡立ったその泡を、該泡立て本体１から扱き取るもので、この泡絞り体４は、泡立て本体１の外周部の移動に際して、この可撓性と柔軟性を有する泡立て本体１が弾性変形し得る堅さに取り付けられている。
すなわち、泡立て本体１の外周部に嵌め付けられた泡絞り体４が、その長さ方向へ移動する際に、泡立て本体１の弾性力に抗してその外周部を絞り込むことで、洗剤の泡は、該泡立て本体１の移動と共に一方から他方へとそがれて徐々に山状の塊りにすることができる。
【００２３】
そして、この泡絞り体４の形態は、例えば、図１，図５等に示すように、合成樹脂製等のリングが簡便に用いることができるもので、その通孔４ａが泡立て本体１の外周部へ泡立て本体１の弾性力に抗して嵌め付けられている。
【００２４】
なお、この泡絞り体４は泡立て本体１の長さ方向を摺動移動するものであるが、この移動に際して、該泡絞り体４が泡立て本体１の外端部より抜け出さない外形（通孔４ａの大きさ）を有するものである。
したがって、第一係止体２の束ね部ｄおよび第二係止体３は、泡絞り体４の通孔４ａより大きく形成されているもので、第二係止体３にあっては、泡絞り体４と同一のリングを用いることで、抜け止めとなる。
【００２５】
したがって、前記のように構成される本考案実施例の泡立て具Ａは、以下に述べる作用を奏する。
例えば、液状や固形状の洗剤を、この適量の水分を有する泡立て具Ａにおける泡立て本体１へ添加したり擦り付けたりした後、この泡立て本体１を両手で包んで手を擦ったり、揉んだりすると、あるいは、泡立て本体１の両端部１ｂ，１ｃを伸ばしたり、縮めたりすると、該泡立て本体１より泡立ってくる。
この泡立て本体１の両端部１ｂ，１ｃが、第一係止体２と第二係止体３とにより絞られ、中間部がその弾性により膨らんだ形態となるので、手の中に収まって馴染みやすい。
【００２６】
この泡は、泡立て本体１の網目から流入する多量の空気と洗剤とが接触することで、極めてきめの細かい状態（クリーミー）になるもので、特に、該泡立て本体１は、この泡立て本体１の長さ方向の両端部１ｂ，１ｃは、第一係止体２と第二係止体３とにより、常態時、外方へ広がった形態より絞った構成を有するため、その基材１ａの長さ方向に対して多数のヒダが形成されて、洗剤と空気との接触が良好となり、前記泡立ち効果が一層発揮される。
【００２７】
こうして、泡立て本体１から泡立ったら、該泡立て本体１の外周部に挿嵌させた泡絞り体４を、例えば、図１において矢印に示す方向へ、この泡立て本体１の長さ方向における一方から他方へ向かって摺動移動させると、この泡絞り体４は、泡立て本体１の外周部と摩擦しながら、その移動と共に膨らんでいる泡立て本体１をつぼませて扱く運動がなされる。
泡立て本体１の他方へ達した泡絞り体４は、その他端部に設けた第二係止体３へ当たってその摺動移動が規制される。なお、泡立て本体１の一端部へ泡絞り体４を戻す場合であっても、同様に、一端部に設けた第一係止体２へこの泡絞り体４が当たってその移動が規制される。
【００２８】
そのため、泡立て本体１全体からは、泡が塊状となって絞り出される。
その際に、一方端部を片手でつまみ、この泡絞り体４を摺動移動させるだけの簡単な作業であるため、該泡絞り体４に対する余分な力が入れず、かつ、例え、手が濡れていたり洗剤が付いていても、前記一方端部や泡絞り体４の保持が損なわれることがなく確実に把持することができる。このことは、手先に力の入りにくい使用者にあっては、極めて良好な使用感を与える。
【００２９】
この泡を手にとって、メーク落としや洗顔に使用すれば、該泡が肌に万遍なく行き渡り、良好な使用感が得られるもので、一度の泡立たせ作業によって、十分な必要量を作ることができる。
【００３０】
特に、泡立て本体１の基材１ａを筒状に形成して、その外周部から折り曲げて複数に重ね設けることにより、泡立て本体１の外周部に多くのヒダ１０を形成させることができて、前記泡立ちさせやすくなり、その作業も効率よく行うことができる。
また、泡立て本体１は縦長の棒状に形成されているため、非使用時に、洗面所等の収容時に他物に対する邪魔にならない。
【図面の簡単な説明】
【００３１】
【図１】本考案に関する泡立て具の一実施例を示す斜視図である。
【図２】図１における泡立て具に使用する泡立て本体の基材の各例を示す斜視図である。
【図３】図１における泡立て具に使用する泡立て本体の基材の更に他の例を示す斜視図である。
【図４】図１における泡立て具の泡立て本体の組立状態を示す斜視図である。
【図５】図１における泡立て具の第一係止体を設けた状態を示す斜視図である。
【図６】図１における泡立て具の泡立て本体の折り曲げ状態の他の各例を示す説明図である。
【符号の説明】
【００３２】
Ａ…泡立て具．１…泡立て本体．１ａ…物品．１ｂ…一端部．１ｃ…他端部．２…第一係止体．３…第二係止体．４…泡絞り体．５…第二係合手段．１０…ヒダ．
【図１】
0003102323.tif 000003
【図２】
0003102323.tif 000004
【図３】
0003102323.tif 000005
【図４】
0003102323.tif 000006
【図５】
0003102323.tif 000007
【図６】
0003102323.tif 000008